(57)【要約】【課題】正面から表示装置に入射する信号光を効率良く赤外線受光部に入射させることが可能な表示装置を実現する。【解決手段】テレビ（１）は、額縁（１２）の背面に隠れるように、かつ、受光面がテレビ（１）の側方を向くように配置された赤外線受光部（１３）と、開閉可能に取り付けられた反射板（１４）であって、開状態において、正面からテレビ（１）に入射した信号光を反射して赤外線受光部（１３）に導く反射板（１４）とを備えている。【選択図】図１
2014068163.tif 000002
【特許請求の範囲】
【請求項１】
赤外線リモコンを用いて操作可能な表示装置において、
上記赤外線リモコンから出力された信号光を受光する赤外線受光部であって、表示パネルの周囲を取り囲む額縁の背面に隠れるように、かつ、受光面が当該表示装置の側方を向くように配置された赤外線受光部と、
当該表示装置に開閉可能に取り付けられた反射板であって、開状態において、当該表示装置の正面から入射した上記信号光を反射して上記受光面に導く反射部を有する反射板と、を備えていることを特徴とする表示装置。
【請求項２】
上記反射板には、閉状態において、当該表示装置の側方から入射した上記信号光を透過して上記受光面に導く透過部が形成されている、
ことを特徴とする請求項１に記載の表示装置。
【請求項３】
上記反射板は、透明材料により構成され、
上記反射部は、上記反射板の表面に貼付された反射シートであり、
上記透過部は、上記反射シートに形成された開口である、
ことを特徴とする請求項２に記載の表示装置。
【請求項４】
上記反射板の表面には、上記反射シートに形成された上記開口を貫通する凸部であって、上記透明材料により構成された凸部が形成されている、
ことを特徴とする請求項３に記載の表示装置。
【請求項５】
上記反射部は、上記反射板の表面に貼付された反射シートであり、
上記透過部は、上記反射板及び上記反射シートに形成された互いに連通する開口からなる貫通孔である、
ことを特徴とする請求項２に記載の表示装置。
【請求項６】
上記反射板の表面には、前記反射部として機能する凹部が形成されている、
ことを特徴とする請求項１から５までの何れか１項に記載の表示装置。
【請求項７】
赤外線リモコンを用いて操作可能なテレビジョン受像機において、
上記赤外線リモコンから出力された信号光を受光する赤外線受光部であって、表示パネルの周囲を取り囲む額縁の背面に隠れるように、かつ、受光面が当該テレビジョン受像機の側方を向くように配置された赤外線受光部と、
当該テレビジョン受像機に開閉可能に取り付けられた反射板であって、開状態において、当該テレビジョン受像機の正面から入射した上記信号光を反射して上記受光面に導く反射部を有する反射板と、を備えていることを特徴とするテレビジョン受像機。
【発明の詳細な説明】
【技術分野】
【０００１】
本発明は、赤外線リモコンで操作可能な表示装置、例えば、テレビジョン受像機に関する。
【背景技術】
【０００２】
近年、赤外線リモコンを用いて操作可能な表示装置が広く用いられている。テレビジョン受像機（以下、「テレビ」と略記する）は、このような表示装置の典型例である。このような表示装置は、赤外線リモコンから発せられる信号光を受光する赤外線受光部を備えている。
【０００３】
図９（ａ）は、従来のテレビ５の外観を示す正面図である。このテレビ５は、表示パネル５２と、表示パネル５２を取り囲む額縁５３と、額縁５３の下辺から下方に突出した突出部５４とを備えている。
【０００４】
このテレビ５において、赤外線受光部５１は、突出部５４に内蔵されており、赤外線受光部５１の受光面は、テレビ５の正面を向いている。テレビ５の正面に配置された赤外線リモコンから発せられた信号光は、突出部５４の外殻に形成された開口を介して、赤外線受光部５１の受光面に入射する。
【０００５】
図９（ｂ）は、他の従来のテレビ６の外観を示す正面図である。このテレビ６は、表示パネル６２と、表示パネル５２を取り囲む額縁６３とを備えている。
【０００６】
このテレビ６において、赤外線受光部６１は、額縁６３の下辺に内蔵されており、赤外線受光部６１の受光面は、テレビ６の正面を向いている。テレビ６の正面に配置された赤外線リモコンから発せられた信号光は、額縁６３の外殻に形成された開口を介して、赤外線受光部６１の受光面に入射する。
【０００７】
しかしながら、図９（ａ）（ｂ）に示す構成を採用する限り、市場に存在する狭額縁化への要請に応えることは困難である。実際、図９（ａ）に示すテレビ５は、突出部５４を備えている点で狭額縁化の要請に反する。また、図９（ｂ）に示すテレビ６は、額縁６３の幅を赤外線受光部６１の受光面の直径以下とすることができないため、受光感度を低下させることなく更なる狭額縁化を図ることが困難である。
【０００８】
このような狭額縁化の要請に応え得る表示装置としては、例えば、特許文献１に記載の表示装置が挙げられる。特許文献１に記載の表示装置においては、受光面が下方を向くように赤外線受光部を額縁の背面に隠して取り付ける構成を採用することによって、更なる狭額縁化を可能ならしめている。
【先行技術文献】
【特許文献】
【０００９】
【特許文献１】特開２００６−２５３７３７（公開日：平成１８年年９月２１日）
【特許文献２】特開２０１０−２００２０１（公開日：平成２２年９月９日）
【発明の概要】
【発明が解決しようとする課題】
【００１０】
しかしながら、特許文献１に記載の表示装置においては、赤外線受光部が額縁の背面に隠されているため、表示装置の正面に配置された赤外線リモコンから発せられた信号光を効率良く赤外線受光部に入射させることができないという問題が生じる。
【００１１】
特許文献１においては、窪みが形成された透明部品を赤外線受光部に対向するように取り付ける構成を採用することによって、上記問題を解決しようとしている。しかしながら、このような構成を採用したとしても、赤外線リモコンから発せられた信号光を透明部品に入射させることができなければ、上記問題の本質的な解決には至らないことは明らかであろう。
【００１２】
本発明は、上記の問題に鑑みてなされたものであり、その目的は、狭額縁化が可能な表示装置（例えば、テレビジョン受像機）において、正面から表示装置に入射する信号光を効率良く赤外線受光部に入射させることが可能な表示装置を実現することにある。
【課題を解決するための手段】
【００１３】
上記の課題を解決するために、本発明に係る表示装置は、赤外線リモコンを用いて操作可能な表示装置において、上記赤外線リモコンから出力された信号光を受光する赤外線受光部であって、表示パネルの周囲を取り囲む額縁の背面に隠れるように、かつ、受光面が当該表示装置の側方を向くように配置された赤外線受光部と、当該表示装置に開閉可能に取り付けられた反射板であって、開状態において、当該表示装置の正面から入射した上記信号光を反射して上記受光面に導く反射部を有する反射板と、を備えていることを特徴とする。
【００１４】
また、上記の課題を解決するために、本発明に係るテレビジョン受像機は、赤外線リモコンを用いて操作可能なテレビジョン受像機において、上記赤外線リモコンから出力された信号光を受光する赤外線受光部であって、表示パネルの周囲を取り囲む額縁の背面に隠れるように、かつ、受光面が当該テレビジョン受像機の側方を向くように配置された赤外線受光部と、当該テレビジョン受像機に開閉可能に取り付けられた反射板であって、開状態において、当該テレビジョン受像機の正面から入射した上記信号光を反射して上記受光面に導く反射部を有する反射板と、を備えていることを特徴とする。
【発明の効果】
【００１５】
本発明によれば、狭額縁化が可能な表示装置（例えば、テレビジョン受像機）でありながら、反射板を開状態にすることによって、正面から入射する信号光を効率良く赤外線受光部に入射させることが可能な表示装置を実現することができる。
【図面の簡単な説明】
【００１６】
【図１】本発明の一実施形態に係るテレビ（表示装置）の外観を示す正面図である。（ａ）は、反射板が開状態にあるテレビの外観を示し、（ｂ）は、反射板が閉状態にあるテレビの外観を示す。
【図２】図１に示すテレビが備える反射板の斜視図である。
【図３】図１に示すテレビのＡＡ’断面を示す断面図である。（ａ）は、図２に示す反射板が開状態にあるテレビのＡＡ’断面を示し、（ｂ）は、図２に示す反射板が閉状態にあるテレビのＡＡ’断面を示す。
【図４】図１に示すテレビが備える反射板の第１の変形例を示す斜視図である。
【図５】図１に示すテレビのＡＡ’断面を示す断面図である。（ａ）は、図４に示す反射板が開状態にあるテレビのＡＡ’断面を示し、（ｂ）は、図４に示す反射板が閉状態にあるテレビのＡＡ’断面を示す。
【図６】図１に示すテレビが備える反射板の第２の変形例を示す斜視図である。
【図７】図１に示すテレビのＡＡ’断面を示す断面図である。（ａ）は、図６に示す反射板が開状態にあるテレビのＡＡ’断面を示し、（ｂ）は、図６に示す反射板が閉状態にあるテレビのＡＡ’断面を示す。
【図８】図１に示すテレビが備える反射板の第３の変形例を示す斜視図である。
【図９】従来のテレビの外観を示す斜視図である。（ａ）は、赤外線受光部が突出部に内蔵されたテレビの外観を示し、（ｂ）は、赤外線受光部が額縁に内蔵されたテレビの外観を示す。
【発明を実施するための形態】
【００１７】
本発明の一実施形態に係る表示装置について、図面に基づいて説明すれば以下のとおりである。
【００１８】
なお、本実施形態に係る表示装置は、テレビジョン受像機（以下「テレビ」と略記）として実現されているので、以下の説明においては、本実施形態に係る表示装置のことを「テレビ」と記載する。ただし、本発明の適用範囲は、チューナを備えたテレビに限定されない。例えば、チューナを備えていないモニタ装置等も、本発明の適用範囲に含まれる。
【００１９】
〔テレビの外観〕
本実施形態に係るテレビ１の外観について、図１を参照して説明する。図１は、テレビ１の外観を示す正面図である。（ａ）は、反射板１４が開状態にあるテレビ１の外観を示し、（ｂ）は、反射板１４が閉状態にあるテレビ１の外観を示す。
【００２０】
テレビ１は、図１（ａ）に示すように、表示パネル１１と、額縁１２と、赤外線受光部１３と、反射板１４とを備えている。
【００２１】
表示パネル１１は、長方形の板状部材であり、映像を表示する機能を有する。本実施形態においては、表示パネル１１として、液晶パネルを用いるが、有機ＥＬパネルなど、他の表示パネルであっても構わない。
【００２２】
額縁１２は、表示パネル１１の四方を取り囲む枠状部材であり、表示パネル１１を保持及び保護する機能を有する。額縁１２を構成する四辺のうち、スタンド等を用いてテレビ１を通常設置した状態において下方に位置する辺を、以下、「下辺」と記載する。なお、額縁１２には、赤外線リモコンから発せられた信号光を赤外線受光部１３に入射させるための開口が設けられておらず、意匠の観点から優れたものとなっている。
【００２３】
赤外線受光部１３は、赤外線リモコンから発せられた信号光を受光すると共に、受光した信号光を電気信号に変換する機能を有する。この赤外線受光部１３は、受光面が下方を向くように、かつ、額縁１２の下辺の背面に隠れるように配置されている。
【００２４】
反射板１４は、長方形の板状部材であり、テレビ１に開閉可能に取り付けられている。反射板１４は、図１（ａ）に示す開状態において、テレビ１の正面から入射する信号光を赤外線受光部１３の受光面に向かって反射する機能、及び、図１（ｂ）に示す閉状態において、テレビ１の下方から赤外線受光部１３の受光面に向かって入射する信号光を透過する機能を有している。
【００２５】
反射板１４は、図１（ｂ）に示す閉状態において、額縁１２の下辺の背面に隠れるようになっている。このため、反射板１４を閉状態にすれば、額縁１２の下辺から下方に突出するものが何もない、美しい外観が実現される。
【００２６】
なお、本実施形態においては、赤外線受光部１３を、受光面が下方を向くように、かつ、額縁１２の下辺の背面に隠れるように配置する構成を採用しているが、本発明はこれに限定されない。すなわち、赤外線受光部１３は、受光面が側方（上方、下方、右方、左方の何れか）を向くように、かつ、額縁１２の一辺（上辺、下辺、右辺、左辺の何れか）の背面に隠れるように配置されていればよい。
【００２７】
〔反射板の構造〕
次に、テレビ１が備える反射板１４の構造について、図２及び図３を参照して説明する。
【００２８】
図２は、反射板１４の構造を示す斜視図である。反射板１４は、図２に示すように、基体１４１と、反射シート１４３とを備えている。
【００２９】
基体１４１は、長方形の板状部と、該板状部の両端に設けられた腕状部とにより構成され、反射シート１４３は、該板状部の表面に貼り付けられている。反射板１４が開状態にあるとき、テレビ１の正面から入射した信号光は、この反射シート１４３で反射されて赤外線受光部１３の受光面に入射する。
【００３０】
基体１４１及び反射シート１４３には、互いに連通する開口が設けられており、これらの開口が反射板１４の裏面から表面に至る貫通孔１４２を構成している。反射板１４が閉状態にあるとき、テレビ１の下方から入射した信号光は、この貫通孔１４２を通って赤外線受光部１３の受光面に入射する。
【００３１】
図３は、テレビ１のＡＡ’断面（図１参照）を示す断面図である。（ａ）は、反射板１４が開状態にあるテレビ１のＡＡ’断面を示し、（ｂ）は、反射板１４が閉状態にあるテレビ１のＡＡ’断面を示す。
【００３２】
反射板１４は、テレビ１の背面に腕状部を介して取り付けられており、腕状部の先端を支点として回動可能である。「開状態」とは、図３（ａ）に示す状態、すなわち、反射板１４の板状部の表面が赤外線受光部１３の受光面と略４５°を成す状態のことを指す。また、「閉状態」とは、図３（ｂ）に示す状態、すなわち、反射板１４の板状部の表面が赤外線受光部１３の受光面と略平行になる状態のことを指す。
【００３３】
図３において注目すべき点は、赤外線受光部１３の受光面と対向するように取り付けられた導光体１５が、図３（ｂ）に示す閉状態において反射板１４の貫通孔１４２に嵌合する点である。これにより、閉状態における信号光の入射効率が向上する。なお、導光体１５は、その表面で生じる反射及び屈折により、様々な方向から入射する信号光を効率良く赤外線受光部１３の受光面へと導くための光学素子である。
【００３４】
ユーザが反射板１４を回動させることによって、開状態にある反射板１４を閉状態にすれば、額縁１２の下辺から下方に突出するものが何もない、美しい外観が実現される。逆に、ユーザが反射板１４を回動させることによって、閉状態にある反射板１４を開状態にすれば、信号光の入射効率を向上させることができる。
【００３５】
〔反射板の変形例１〕
次に、テレビ１が備える反射板１４の第１の変形例について、図４及び図５を参照して説明する。
【００３６】
図４は、本変形例に係る反射板１４の構造を示す斜視図である。本変形例に係る反射板１４も、図４に示すように、基体１４１と、反射シート１４３とを備えている。本変形例において、基体１４１は、透明材料により構成されている。
【００３７】
基体１４１は、長方形の板状部と、該板状部の両端に設けられた腕状部とにより構成され、反射シート１４３は、該板状部の表面に貼り付けられている。反射板１４が開状態にあるとき、テレビ１の正面から入射した信号光は、この反射シート１４３に反射されて赤外線受光部１３の受光面に入射する。
【００３８】
また、反射シート１４３には、開口１４４が設けられている。反射板１４が閉状態にあるとき、テレビ１の下方から入射した信号光は、透明材料により構成された基体１４１の板状部を透過した後、この開口１４３を通って赤外線受光部１３の受光面に入射する。
【００３９】
図５は、テレビ１のＡＡ’断面（図１参照）を示す断面図である。（ａ）は、反射板１４が開状態にあるテレビ１のＡＡ’断面を示し、（ｂ）は、反射板１４が閉状態にあるテレビ１のＡＡ’断面を示す。
【００４０】
図５において注目すべきは、導光体１５が下方に突出しないように小型化されている点である。これにより、図５（ｂ）に示す閉状態において、反射板１４と導光体１５とが接触することが回避される。
【００４１】
〔反射板の変形例２〕
次に、テレビ１が備える反射板１４の第２の変形例について、図６及び図７を参照して説明する。
【００４２】
図６は、本変形例に係る反射板１４の構造を示す斜視図である。本変形例に係る反射板１４は、図６に示すように、基体１４１と、反射シート１４３とを備えている。本変形例において、基体１４１は、透明材料により構成されている。また、基体１４１には、導光体１５に相当する凸部１４５が形成されている。
【００４３】
基体１４１は、長方形の板状部と、該板状部の両端に設けられた腕状部とにより構成され、反射シート１４３は、該板状部の表面に貼り付けられている。反射板１４が開状態にあるとき、テレビ１の正面から入射した信号光は、この反射シート１４３に反射されて赤外線受光部１３の受光面に入射する。
【００４４】
また、反射シート１４３には、開口が設けられており、基体１４１に形成された凸部１４５は、この開口を貫通する。反射板１４が閉状態にあるとき、テレビ１の下方から入射した信号光は、透明材料により構成された基体１４１の板状部及び凸部１４５を透過した後、赤外線受光部１３の受光面に入射する。
【００４５】
図７は、テレビ１のＡＡ’断面（図１参照）を示す断面図である。（ａ）は、反射板１４が開状態にあるテレビ１のＡＡ’断面を示し、（ｂ）は、反射板１４が閉状態にあるテレビ１のＡＡ’断面を示す。
【００４６】
図７において注目すべきは、反射板１４の基体１４１に形成された凸部１４５が、図７（ｂ）に示す閉状態において、ＲＣカバーに設けられた開口に嵌合する点である。これにより、図３に示す構成と同様、閉状態における信号光の入射効率が向上する。
【００４７】
〔反射板の変形例３〕
次に、テレビ１が備える反射板１４の第３の変形例について、図６を参照して説明する。
【００４８】
図６（ａ）は、本変形例に係る反射板１４の斜視図であり、図６（ｂ）は、本変形例に係る反射板１４のＢＢ’断面図である。
【００４９】
本変形例に係る反射板１４の特徴は、基体１４１の表面に凹部１４６が設けられている点である。この凹部１４６には、反射シートが貼付されている。このように、基体１４１の表面に凹部１４６を設けることによって、正面からテレビ１に入射した光をより効率的に赤外線受光部１３の受光面に入射させることができる。
【００５０】
なお、反射板１４に貫通孔が設けられており、閉状態において下方からテレビ１に入射した信号光を赤外線受光部１３の受光面に入射させ得る点は、図２及び図３に示した基本構成と同様である。
【００５１】
〔まとめ〕
本発明の一態様に係る表示装置は、赤外線リモコンを用いて操作可能な表示装置（１）において、上記赤外線リモコンから出力された信号光を受光する赤外線受光部（１３）であって、表示パネル（１１）の周囲を取り囲む額縁（１２）の背面に隠れるように、かつ、受光面が当該表示装置（１）の側方を向くように配置された赤外線受光部（１３）と、当該表示装置に開閉可能に取り付けられた反射板（１４）であって、開状態において、当該表示装置（１）の正面から入射した上記信号光を反射して上記受光面に導く反射部を有する反射板（１４）と、を備えていることを特徴とする。
【００５２】
上記の構成によれば、狭額縁化が可能な表示装置でありながら、反射板を開状態にすることによって、正面から入射する信号光を効率良く赤外線受光部に入射させることが可能な表示装置を実現することができる。
【００５３】
なお、狭額縁化が可能な理由は、赤外線受光部を額縁の背面に隠れるように、かつ、受光面が当該表示装置の側方を向くように配置しているためである。また、受光面が側方を向いた赤外線受光部に正面から入射する信号光を効率良く入射させることが可能な理由は、正面から入射した信号光を反射して赤外線受光部に導く反射部を有する反射板を備えているからである。
【００５４】
本発明の一態様に係る表示装置において、上記反射板（１４）には、閉状態において、当該表示装置（１）の側方から入射した上記信号光を透過して上記受光面に導く透過部が形成されている、ことが好ましい。
【００５５】
上記の構成によれば、反射板を閉状態にしても、側方から入射する信号光を効率良く赤外受光部に入射させることができる。
【００５６】
本発明の一態様に係る表示装置において、上記反射板（１４）は、透明材料により構成され、上記反射部は、上記反射板の表面に貼付された反射シート（１４３）であり、上記透過部は、上記反射シートに形成された開口（１４４）である、ことが好ましい。
【００５７】
上記の構成によれば、上記反射板に開口を形成することなく（すなわち、製造コストの上昇を招来することなく）、開状態における信号光の反射と、閉状態における信号光の透過とを実現することができる。
【００５８】
本発明の一態様に係る表示装置において、上記反射板の表面には、上記反射シート（１４３）に形成された上記開口（１４４）を貫通する凸部（１４５）であって、上記透明樹脂により構成された凸部（１４５）が形成されている、ことが好ましい。
【００５９】
上記の構成によれば、上記凸部が導光体として機能するので、別途導光体を設けることなく（すなわち、製造コストの上昇を招来することなく）、閉状態においてより効率的に信号光を赤外受光部に入射させることができる。
【００６０】
本発明の一態様に係る表示装置において、上記反射部は、上記反射板の表面に貼付された反射シート（１４３）であり、上記透過部は、上記反射板（１４）及び上記反射シート（１４３）に形成された互いに連通する開口からなる貫通孔（１４２）である、ことが好ましい。
【００６１】
上記の構成によれば、上記反射板を透明材料により構成することなく（すなわち、製造コストの上昇を招来することなく）、開状態における信号光の反射と、閉状態における信号光の透過とを実現することができる。
【００６２】
本発明の一態様に係る表示装置において、前記反射板（１４）の表面には、前記反射部として機能する凹部（１４６）が形成されている、ことが好ましい。
【００６３】
上記の構成によれば、開状態においてより効率的に信号光を赤外線受光部に入射させることができる。
ことを特徴とする請求項１から５までの何れか１項に記載の表示装置。
【００６４】
本発明の一態様に係るテレビジョン受像機は、赤外線リモコンを用いて操作可能なテレビジョン受像機において、上記赤外線リモコンから出力された信号光を受光する赤外線受光部であって、表示パネルの周囲を取り囲む額縁の背面に隠れるように、かつ、受光面が当該テレビジョン受像機の側方を向くように配置された赤外線受光部と、当該テレビジョン受像機に開閉可能に取り付けられた反射板であって、開状態において、当該テレビジョン受像機の正面から入射した上記信号光を反射して上記受光面に導く反射部を有する反射板と、を備えていることを特徴とする。
【００６５】
上記の構成によれば、狭額縁化が可能なテレビジョン受像機でありながら、反射板を開状態にすることによって、正面から入射する信号光を効率良く赤外線受光部に入射させることが可能なテレビジョン受像機を実現することができる。
【００６６】
〔付記事項〕
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【００６７】
本発明は、赤外線リモコンにより操作可能な各種表示装置に好適に利用することができる。例えば、テレビジョン受像機に好適に利用することができる。
【符号の説明】
【００６８】
１          テレビ
１１        表示パネル
１２        額縁
１３        赤外線受光部
１４        反射板
１４２      貫通孔
１４３      反射シート
１４４      開口
１４５      凸部
１４６      凹部
【図１】
2014068163.tif 000003
【図２】
2014068163.tif 000004
【図３】
2014068163.tif 000005
【図４】
2014068163.tif 000006
【図５】
2014068163.tif 000007
【図６】
2014068163.tif 000008
【図７】
2014068163.tif 000009
【図８】
2014068163.tif 000010
【図９】
2014068163.tif 000011